(57)【要約】  タッチ操作がなされる操作面（１４ａ）を有するタッチパネル（１４）と、そのタッチ操作に応じて操作面（１４ａ）に加振力を与えるボイスコイルアクチュエータ（２０）とを備えた電子機器であって、ボイスコイルアクチュエータ（２０）は、タッチパネル（１４）の後方側から挿入されたガイドピン（４１）が沿うように当接するヨーク（２４）の外周面（２４ａ）と、この外周面（２４ａ）の径方向内側において環状に形成される磁気隙間（２７）とを有する磁気回路部（２０Ｂ）と、磁気隙間（２７）内に円筒状をなすコイル（２３）が配置されるように、タッチパネル（１４）の後面に設けられ、ガイドピン（４１）の先端形状に合致した外周形状を有するコイル部（２０Ａ）とを備える。
2020161891.tif 000002
【特許請求の範囲】
【請求項１】
タッチ操作がなされる操作面を有するパネルと、そのタッチ操作に応じて前記操作面に加振力を与えるアクチュエータとを備えた電子機器であって、
前記アクチュエータは、
前記パネルの後方側から挿入されたガイドピンが沿うように当接する外周面と、前記外周面の径方向内側において環状に形成される磁気隙間とを有する磁気回路部と、
前記磁気隙間内に円筒状をなすコイルが配置されるように、前記パネルの後面に設けられ、前記ガイドピンの先端形状に合致した外周形状を有するコイル部とを備える
ことを特徴とする電子機器。
【請求項２】
前記コイル部の外周面は、前記ガイドピンの先端部における外周面が沿うように当接する
ことを特徴とする請求項１記載の電子機器。
【請求項３】
前記コイル部の外周角部は、前記ガイドピンの先端部に形成される段差と嵌合する
ことを特徴とする請求項１記載の電子機器。
【請求項４】
前記磁気回路部の外周面よりも径方向外側に配置される回路側位置決め孔と、
前記コイル部の外周面よりも径方向内側に配置されるコイル側位置決め孔とを備え、
前記回路側位置決め孔及び前記コイル側位置決め孔は、前記ガイドピンが嵌入される
ことを特徴とする請求項１記載の電子機器。
【請求項５】
タッチ操作がなされる操作面を有するパネルと、そのタッチ操作に応じて前記操作面に加振力を与えるアクチュエータとを備えた電子機器であって
前記アクチュエータは、
前記パネルの後方側から挿入されたガイドピンが嵌入する回路側位置決め中心孔と、前記回路側位置決め中心孔の径方向外側において環状に形成される磁気隙間とを有する磁気回路部と、
前記磁気隙間内に円筒状をなすコイルが配置されるように、前記パネルの後面に設けられ、前記回路側位置決め中心孔を貫通した前記ガイドピンが嵌入するコイル側位置決め中心孔を有するコイル部とを備える
ことを特徴とする電子機器。
【請求項６】
タッチ操作がなされる操作面を有するパネルと、そのタッチ操作に応じて前記操作面に加振力を与えるアクチュエータとを備えた電子機器の製造方法であって、
前記アクチュエータは、
環状をなす磁気隙間を有する磁気回路部と、
前記磁気隙間内に配置される円筒状をなすコイルを有するコイル部とを備え、
前記パネルの後方側から挿入されたガイドピンを用いて、前記磁気回路部と前記コイル部との間の位置決めを行う
ことを特徴とする電子機器の製造方法。
【請求項７】
前記ガイドピンを、前記磁気回路部の外周面に沿うように当接させ、
前記ガイドピンの先端形状と前記コイル部の外周形状とを合致させる
ことを特徴とする請求項６記載の電子機器の製造方法。
【請求項８】
前記ガイドピンを、前記磁気回路部の回路側位置決め中心孔に嵌入し、
前記回路側位置決め中心孔を貫通した前記ガイドピンの先端部を、前記コイル部のコイル側位置決め中心孔に嵌入する
ことを特徴とする請求項６記載の電子機器の製造方法。
【発明の詳細な説明】
【技術分野】
【０００１】
この発明は、タッチパネルを振動可能に支持する電子機器及び電子機器の製造方法に関する。
【背景技術】
【０００２】
従来、ユーザのタッチ操作に応じて、その指先に振動をフィードバックする機能を有する電子機器が提供されている。この電子機器は、タッチパネルを振動可能に支持しており、当該タッチパネルに加振力を与えるアクチュエータを備えている。このような、電子機器のアクチュエータとしては、ボイスコイルアクチュエータが多く採用されている。【０００３】
ボイスコイルアクチュエータは、固定側の磁気回路部と、可動側のコイル部とから構成されており、磁気回路部とコイル部との間に、磁界を発生させることにより、コイル部を磁気回路部に対して振動させる。また、ボイスコイルアクチュエータは、スピーカのアクチュエータとしても採用されている。そして、このような、従来のボイスコイルアクチュエータとしては、例えば、特許文献１に開示されている。
【先行技術文献】
【特許文献】
【０００４】
【特許文献１】特開昭６１−２８２９６号公報
【発明の概要】
【発明が解決しようとする課題】
【０００５】
上記従来のボイスコイルアクチュエータは、磁気回路部の磁石をコイル部のコイルの外側に配置した外磁型のボイスコイルアクチュエータとなっている。一般的に、外磁型のボイスコイルアクチュエータは、磁石をコイルの外側に配置することにより、磁石の大型化を図ることができ、当該磁石の断面積を確保して、磁気回路部における磁束密度を高めることができる。ボイスコイルアクチュエータが発揮する加振力の大きさは、磁束密度の高さに比例する。【０００６】
また、ボイスコイルアクチュエータが効率的に加振力を発揮するためには、磁気回路部におけるヨークとポールとの間の隙間を狭くして、磁束密度を高めた状態で、その隙間内に、コイルを高精度に位置決めする必要がある。このとき、磁気回路部とコイル部との間の位置決め精度が不十分となる場合には、磁気回路部のヨーク及びポールと、コイル部のコイルとが接触してしまい、ボイスコイルアクチュエータは、破損するおそれがある。【０００７】
この発明は、上記のような課題を解決するためになされたもので、コイル部と磁気回路部との間の位置決めを行うことにより、必要な磁束密度の高さで加振力を得ることができる電子機器及び電子機器の製造方法を提供することを目的とする。
【課題を解決するための手段】
【０００８】
この発明に係る電子機器は、タッチ操作がなされる操作面を有するパネルと、そのタッチ操作に応じて操作面に加振力を与えるアクチュエータとを備えた電子機器であって、アクチュエータは、パネルの後方側から挿入されたガイドピンが沿うように当接する外周面と、外周面の径方向内側において環状に形成される磁気隙間とを有する磁気回路部と、磁気隙間内に円筒状をなすコイルが配置されるように、パネルの後面に設けられ、ガイドピンの先端形状に合致した外周形状を有するコイル部とを備えることを特徴とするものである。【０００９】
この発明に係る電子機器は、タッチ操作がなされる操作面を有するパネルと、そのタッチ操作に応じて操作面に加振力を与えるアクチュエータとを備えた電子機器であって、アクチュエータは、パネルの後方側から挿入されたガイドピンが嵌入する回路側位置決め中心孔と、回路側位置決め中心孔の径方向外側において環状に形成される磁気隙間とを有する磁気回路部と、磁気隙間内に円筒状をなすコイルが配置されるように、パネルの後面に設けられ、回路側位置決め中心孔を貫通したガイドピンが嵌入するコイル側位置決め中心孔を有するコイル部とを備えることを特徴とするものである。【００１０】
この発明に係る電子機器の製造方法は、タッチ操作がなされる操作面を有するパネルと、そのタッチ操作に応じて操作面に加振力を与えるアクチュエータとを備えた電子機器の製造方法であって、アクチュエータは、環状をなす磁気隙間を有する磁気回路部と、磁気隙間内に配置される円筒状をなすコイルを有するコイル部とを備え、パネルの後方側から挿入されたガイドピンを用いて、磁気回路部とコイル部との間の位置決めを行うことを特徴とするものである。
【発明の効果】
【００１１】
この発明によれば、コイル部と磁気回路部との間の位置決めを行うことにより、必要な磁束密度の高さで加振力を得ることができる。
【図面の簡単な説明】
【００１２】
【図１】実施の形態１に係る電子機器の正面図である。
【図２】図１のII−II矢視断面図である。
【図３】図１のIII−III矢視断面図である。
【図４】従来の電子機器の構成を示した図である。図４Ａは従来のボイスコイルアクチュエータの取り付け構造を示した図である。図４Ｂは従来の磁気回路部をヨークの後端面側から見た図である。
【図５】実施の形態１に係る電子機器と従来の電子機器との間における磁束密度の対比について説明した図である。図５Ａは従来の磁気回路部に磁束が発生する様子を示した図である。図５Ｂは実施の形態１に係る磁気回路部に磁束が発生する様子を示した図である。
【図６】実施の形態２に係る電子機器におけるボイスコイルアクチュエータの取り付け構造を示した図である。
【図７】実施の形態３に係る電子機器の構成を示した図である。図７Ａはボイスコイルアクチュエータの取り付け構造を示した図である。図７Ｂは磁気回路部をヨークの後端面側から見た図である。
【図８】実施の形態４に係る電子機器におけるボイスコイルアクチュエータの取り付け構造を示した図である。
【発明を実施するための形態】
【００１３】
以下、この発明をより詳細に説明するために、この発明を実施するための形態について、添付の図面に従って説明する。
【００１４】
実施の形態１．
先ず、実施の形態１に係る電子機器の構成について、図１から図３を用いて説明する。図１は、実施の形態１に係る電子機器の正面図である。図２は、図１のII−II矢視断面図である。図３は、図１のIII−III矢視断面図である。
【００１５】
実施の形態１に係る電子機器は、車両に設置された車載機器であって、ユーザのタッチ操作に応じて、その指先に振動をフィードバックする機能を有している。この電子機器は、前部意匠パネル１１、後部意匠パネル１２、本体筐体１３、タッチパネル１４、液晶パネル１５、ばね１６、及び、ボイスコイルアクチュエータ２０を備えている。これに対して、車両の車室内には、車両パネル５１、取付板５２、及び、車両固定部５３が設けられている。
【００１６】
前部意匠パネル１１及び後部意匠パネル１２は、電子機器の外殻を構成するものであって、互いに接合されている。前部意匠パネル１１は、電子機器の前部に配置されており、矩形枠状をなしている。この前部意匠パネル１１は、矩形をなす開口部１１ａを有している。後部意匠パネル１２は、電子機器の後部に配置されており、矩形板状をなしている。そして、前部意匠パネル１１の下縁部及び後部意匠パネル１２の下縁部は、その外側から車両パネル５１によって覆われており、当該車両パネル５１に固定されている。
【００１７】
本体筐体１３、タッチパネル１４、液晶パネル１５、ばね１６、及び、ボイスコイルアクチュエータ２０は、前部意匠パネル１１と後部意匠パネル１２との取り付けによって形成された内部空間に設けられている。このうち、本体筐体１３は、取付板５２を介して、車両固定部５３に固定されている。
【００１８】
タッチパネル１４及び液晶パネル１５は、共に矩形をなしており、タッチパネル１４は、液晶パネル１５よりも大きいパネルである。そして、タッチパネル１４の後面と液晶パネル１５の前面とは、貼り合わされている。このとき、液晶パネル１５は、タッチパネル１４の中央部に位置しており、タッチパネル１４の後面における外周縁部には、液晶パネル１５が貼り付けられてはいない。
【００１９】
タッチパネル１４は、液晶パネル１５と貼り合わされた状態で、前部意匠パネル１１の開口部１１ａ内に収納されている。タッチパネル１４の前面は、前部意匠パネル１１の開口部１１ａから露出して前方を向いており、操作面１４ａを構成している。この操作面１４ａは、ユーザからのタッチ操作を受け付けるものである。
【００２０】
ばね１６は、本体筐体１３の前面とタッチパネル１４の後面における外周縁部との間において、折り曲げられた状態で接続されている。このばね１６の両端は、ねじ１７を用いて固定されている。これにより、タッチパネル１４は、ばね１６の弾性力を利用して、本体筐体１３に対して振動可能に支持されている。即ち、タッチパネル１４は、本体筐体１３に対して、フローティング状態となっている。
【００２１】
ボイスコイルアクチュエータ２０は、本体筐体１３の前面とタッチパネル１４の後面における外周縁部との間に、複数設けられている。但し、図１及び図３に示したボイスコイルアクチュエータ２０は、タッチパネル１４の後面における左右両周縁部のみに対応して設けられているが、これに加えて、その後面における上下両周縁部に設けても構わない。また、ボイスコイルアクチュエータ２０は、タッチパネル１４の後面における上下両周縁部のみに対応して設けても構わない。即ち、ボイスコイルアクチュエータ２０の設置数量及び設置位置は、適宜、調整可能である。
【００２２】
更に、ボイスコイルアクチュエータ２０は、外形が円形をなしており、コイル部２０Ａ及び磁気回路部２０Ｂを有している。コイル部２０Ａと磁気回路部２０Ｂとは、同軸状に配置されている。そして、コイル部２０Ａは、タッチパネル１４の後面における外周縁部に接着されている。一方、磁気回路部２０Ｂは、本体筐体１３の前面に固定されている。
【００２３】
コイル部２０Ａは、押し子２１、コイルボビン２２、及び、コイル２３を有している。押し子２１は、円形状をなしており、その前面がタッチパネル１４の後面に接着されている。コイルボビン２２は、円筒状をなしており、押し子２１の後面に設けられている。コイル２３は、ボイスコイルアクチュエータ２０の振動源となるものであって、コイルボビン２２の外周面に巻き付けられている。
【００２４】
磁気回路部２０Ｂは、ヨーク２４、ポール２５、磁石２６、及び、磁気隙間２７を有している。ヨーク２４及びポール２５は、磁性材料で形成されている。
【００２５】
ヨーク２４は、円形状をなす底板部と、円筒部とから構成されている。ヨーク２４の底板部は、本体筐体１３の前面に対して、ねじ１８を用いて固定されている。ねじ１８は、本体筐体１３の後方から、当該本体筐体１３に形成される通し孔１３ａを貫通して、ヨーク２４の底板部に締結している。
【００２６】
ポール２５及び磁石２６は、円形状をなしており、ヨーク２４の円筒部内において、同軸状に重ね合わされて配置されている。磁石２６は、ヨーク２４の底面に設けられており、ポール２５は、磁石２６の前面に設けられている。なお、ポール２５の外径は、磁石２６の外径以上となっている。
【００２７】
そして、ヨーク２４における円筒部の内周面と、ポール２５の外周面との間には、環状をなす磁気隙間２７が形成されている。ヨーク２４の外周面２４ａは、磁気回路部２０Ｂの外周面であり、磁気隙間２７は、その外周面２４ａの径方向内側において、環状に形成されている。これに対して、コイルボビン２２の外周面に巻き付けられたコイル２３は、磁気隙間２７内に配置されている。これにより、磁石２６は、コイル２３の内側に配置されることになる。このように、ボイスコイルアクチュエータ２０は、磁石２６をコイル２３の内側に配置させた構成となるため、内磁型のボイスコイルアクチュエータとなっている。
【００２８】
従って、ボイスコイルアクチュエータ２０は、コイル２３に供給された振動電流と、磁気隙間２７内をポール２５からヨーク２４に向けて流れる磁束との相互作用によって、コイル２３がコイルボビン２２と一体となって、コイル部２０Ａの軸方向において振動する。そして、ボイスコイルアクチュエータ２０によって発生された振動は、タッチパネル１４に伝達される。
【００２９】
即ち、前部意匠パネル１１、後部意匠パネル１２、本体筐体１３、及び、磁気回路部２０Ｂは、電子機器を構成する部材の中でも、車両側に固定される固定部となっている。一方、タッチパネル１４、液晶パネル１５、及び、コイル部２０Ａは、上記固定部に対して、ばね１６によって振動可能に支持される可動部となっている。
【００３０】
また、コイル部２０Ａにおける押し子２１の外径と、磁気回路部２０Ｂにおけるヨーク２４の外径とは、同じ寸法となっている。これにより、実施の形態１に係る電子機器は、コイル部２０Ａの外周面となる押し子２１の外周面２１ａと、磁気回路部２０Ｂの外周面となるヨーク２４の外周面とを、同軸状に配置して、ボイスコイルアクチュエータ２０におけるコイル部２０Ａと磁気回路部２０Ｂとの間の位置決めを行う。この結果、実施の形態１に係る電子機器は、環状をなす磁気隙間２７を、全周に亘って、均一な長さで保持することができる。
【００３１】
そこで、実施の形態１に係る電子機器は、その製造時において、ボイスコイルアクチュエータ２０におけるコイル部２０Ａと磁気回路部２０Ｂとの間の位置決めを高精度に行うために、３本以上のガイドピン４１を使用する。このガイドピン４１は、円形断面を有する軸部材である。これに対して、本体筐体１３は、複数のピン挿入孔１３ｂを有している。それらのピン挿入孔１３ｂは、ヨーク２４の外径に対応した位置に配置されている。これにより、複数のガイドピン４１は、各ピン挿入孔１３ｂに挿入されることにより、同一円周上に配置される。
【００３２】
ガイドピン４１は、本体筐体１３のピン挿入孔１３ｂに対して、タッチパネル１４の後方側から挿入されることによって使用される。このとき、ピン挿入孔１３ｂから挿入されたガイドピン４１は、ヨーク２４の外周面２４ａに対して、磁気回路部２０Ｂの軸方向に沿うように当接し、その先端形状がコイル部２０Ａの外周形状と合致する。具体的には、コイル部２０Ａの外周形状となる押し子２１の外周面は、ガイドピン４１の先端部における外周面が沿うように当接する。これにより、押し子２１の外周面２１ａは、ガイドピン４１の外周面に倣って位置合わせされ、ヨーク２４の外周面２４ａと同軸状に配置された状態で、位置決めされる。
【００３３】
次に、実施の形態１に係る電子機器の製造方法について、図３を用いて説明する。
【００３４】
先ず、タッチパネル１４の後面と液晶パネル１５の前面とが、接着される。また、ばね１６の一端が、タッチパネル１４の後面における外周縁部に対して、ねじ１７を用いて固定される。
【００３５】
次いで、タッチパネル１４の後面における外周縁部と、コイル部２０Ａにおける押し子２１の前面とが、接着される。これにより、可動部の組み立てが完了する。
【００３６】
そして、複数のガイドピン４１が、本体筐体１３のピン挿入孔１３ｂに挿入される。
【００３７】
続いて、磁気回路部２０Ｂが、同一円周上に配置された複数のガイドピン４１の内側に嵌め込まれ、本体筐体１３の前面に着座する。このとき、ヨーク２４の外周面２４ａには、ガイドピン４１が磁気回路部２０Ｂの軸方向に沿うように当接する。これにより、磁気回路部２０Ｂは、所定の取付位置に位置決めされたことになる。
【００３８】
次いで、磁気回路部２０Ｂが、本体筐体１３の前面に対して、ねじ１８を用いて固定される。
【００３９】
そして、コイル部２０Ａの押し子２１が、同一円周上に配置されたガイドピン４１の内側に嵌め込まれる。これにより、コイル部２０Ａは、固定された磁気回路部２０Ｂに対して、ボイスコイルアクチュエータ２０の径方向において位置決めされたことになる。この結果、環状をなす磁気隙間２７は、全周に亘って、均一な長さで保持される。
【００４０】
続いて、ばね１６の他端が、本体筐体１３の前面に対して、ねじ１７を用いて固定される。
【００４１】
次いで、ガイドピン４１が、本体筐体１３のピン挿入孔１３ｂから引き抜かれる。
【００４２】
そして、タッチパネル１４が、前部意匠パネル１１の開口部１１ａ内に嵌め込めれた後、その前部意匠パネル１１と、本体筐体１３をその後方から覆った後部意匠パネル１２とが、組み付けられる。
【００４３】
上述したように、実施の形態１に係る電子機器は、その製造時において、ガイドピン４１を用いることにより、コイル部２０Ａと磁気回路部２０Ｂとの間の位置決めを可能としている。これにより、実施の形態１に係る電子機器は、磁気隙間２７を、全周に亘って均一な長さで、且つ、狭くすることができる。更に、実施の形態１に係る電子機器は、ガイドピン４１を挿入するピン挿入孔１３ｂを、本体筐体１３に備えるものの、磁石２６が発生する磁束の通り道となるヨーク２４には、そのピン挿入孔を備えてはいない。従って、実施の形態１に係る電子機器は、磁気隙間２７における磁束密度の低下を防止することができる。
【００４４】
次に、実施の形態１に係る電子機器と従来の電子機器との間における磁束密度の対比について、図４及び図５を用いて説明する。図４Ａは、従来のボイスコイルアクチュエータの取り付け構造を示した図である。図４Ｂは従来の磁気回路部をヨークの後端面側から見た図である。図５Ａは、従来の磁気回路部に磁束が発生する様子を示した図である。図５Ｂは、実施の形態１に係る磁気回路部に磁束が発生する様子を示した図である。
【００４５】
図４に示した従来の電子機器は、上記特許文献１に開示された位置決め構造を適用したものであって、コイル部２０Ａと磁気回路部２０Ｂとの間の位置決めに、隙間ゲージ６１を使用するものである。この隙間ゲージ６１は、コイルボビン２２の内周面とポール２５の外周面との間の隙間を管理するものである。そして、従来の電子機器は、前部にタッチパネル１４を備えているため、隙間ゲージ６１を、実施の形態１に係るガイドピン４１と同様に、タッチパネル１４の後方側から本体筐体１３のゲージ挿入孔１３ｃに挿入することになる。これにより、従来の電子機器は、隙間ゲージ６１を挿入するためのゲージ挿入孔２４ｂをヨーク２４に備える必要がある。
【００４６】
従って、図５Ａに示すように、従来の電子機器は、ヨーク２４にゲージ挿入孔２４ｂを備えることにより、当該ゲージ挿入孔２４ｂによって磁気抵抗が増大してしまい、これに伴って、磁気隙間２７における磁束密度が低下してしまう。これに対して、図５Ｂに示すように、実施の形態１に係る電子機器は、ヨーク２４にゲージ挿入孔２４ｂを備えていないため、ヨーク２４内において磁束密度が維持され、これに伴って、磁気隙間２７における磁束密度が向上する。
【００４７】
また、実施の形態１に係る電子機器は、内磁型のボイスコイルアクチュエータ２０を備えることにより、磁石２６をコイル２３の内側に配置して、当該磁石２６の小型化を図り、電子機器全体の小型化を図っている。内磁型のボイスコイルアクチュエータ２０は、外磁型のボイスコイルアクチュエータと比べて、磁石２６を小さくできるものの、その分、磁石２６の断面積が小さくなり、磁束密度の低下を招くおそれがある。
【００４８】
しかしながら、実施の形態１に係る電子機器は、内磁型のボイスコイルアクチュエータ２０を採用しても、ガイドピン４１を用いて、コイル部２０Ａと磁気回路部２０Ｂとの間の位置決めを高精度に行うことができるため、磁気隙間２７を狭くして、磁束密度の向上を図ることができる。そこで、加振力をＦ、磁束密度をＢ、コイル線長をＬ、及び、コイル２３に流れる電流をｉとすると、Ｆ＝Ｂ＊Ｌ＊ｉという関係式が得られる。この関係式から明らかなように、実施の形態１に係る電子機器は、磁束密度を向上させることにより、より大きな加振力を得ることができる。
【００４９】
以上より、実施の形態１に係る電子機器は、タッチ操作がなされる操作面１４ａを有するタッチパネル１４と、そのタッチ操作に応じて操作面１４ａに加振力を与えるボイスコイルアクチュエータ２０とを備えている。更に、ボイスコイルアクチュエータ２０は、タッチパネル１４の後方側から挿入されたガイドピン４１が沿うように当接する外周面２４ａと、この外周面２４ａの径方向内側において環状に形成される磁気隙間２７とを有する磁気回路部２０Ｂと、磁気隙間２７内に円筒状をなすコイル２３が配置されるように、タッチパネル１４の後面に設けられ、ガイドピン４１の先端形状に合致した外周形状を有するコイル部２０Ａとを備えている。これにより、実施の形態１に係る電子機器は、コイル部２０Ａの外周形状となる押し子２１の外周面２１ａに対して、ガイドピン４１の先端部における外周面が沿うように当接するため、コイル部２０Ａと磁気回路部２０Ｂとの間の位置決めを行うことにより、必要な磁束密度の高さで加振力を得ることができる。
【００５０】
また、実施の形態１に係る電子機器の製造方法は、タッチパネル１４の後方側から挿入されたガイドピン４１を用いて、ボイスコイルアクチュエータ２０におけるコイル部２０Ａと磁気回路部２０Ｂとの間の位置決めを行う。このとき、ガイドピン４１は、磁気回路部２０Ｂの外周面２４ａに沿うように当接し、そのガイドピン４１の先端形状とコイル部２０Ａの外周形状とは、合致する。これにより、実施の形態１に係る電子機器は、必要な磁束密度の高さで加振力を得ることができる。
【００５１】
実施の形態２．
実施の形態２に係る電子機器について、図６を用いて説明する。図６は、実施の形態２に係る電子機器におけるボイスコイルアクチュエータの取り付け構造を示した図である。
【００５２】
図６に示した実施の形態２に係る電子機器は、コイル部２０Ａと磁気回路部２０Ｂとの間の位置決めにおいて、押し子２１の外径がヨーク２４の外径よりも大径となるため、実施の形態１に係るガイドピン４１に替えて、ガイドピン４２を使用するものである。
【００５３】
ガイドピン４２は、円形断面を有する軸部材であって、段付きガイドピンとなっている。このガイドピン４２は、その先端形状となる段差４２ａを有している。この段差４２ａは、コイル部２０Ａの外周形状となる押し子２１の外周角部２１ｂと嵌合する。これにより、押し子２１の外周角部２１ｂは、ガイドピン４２の段差４２ａに倣って位置合わせされ、ヨーク２４の外周面２４ａと同軸状に配置された状態で、位置決めされる。
【００５４】
以上より、実施の形態２に係る電子機器のボイスコイルアクチュエータ２０は、タッチパネル１４の後方側から挿入されたガイドピン４２が沿うように当接する外周面２４ａと、この外周面２４ａの径方向内側において環状に形成される磁気隙間２７とを有する磁気回路部２０Ｂと、磁気隙間２７内に円筒状をなすコイル２３が配置されるように、タッチパネル１４の後面に設けられ、ガイドピン４２の先端形状に合致した外周形状を有するコイル部２０Ａとを備えている。これにより、実施の形態２に係る電子機器は、押し子２１の外径がヨーク２４の外径よりも大径となる場合であっても、コイル部２０Ａの外周形状となる押し子２１の外周角部２１ｂに対して、ガイドピン４２の先端部に形成される段差４２ａが嵌合するため、コイル部２０Ａと磁気回路部２０Ｂとの間の位置決めを行うことにより、必要な磁束密度の高さで加振力を得ることができる。
【００５５】
また、実施の形態２に係る電子機器の製造方法は、タッチパネル１４の後方側から挿入されたガイドピン４２を用いて、ボイスコイルアクチュエータ２０におけるコイル部２０Ａと磁気回路部２０Ｂとの間の位置決めを行う。このとき、ガイドピン４２は、磁気回路部２０Ｂの外周面２４ａに沿うように当接し、そのガイドピン４２の先端形状とコイル部２０Ａの外周形状とは、合致する。これにより、実施の形態２に係る電子機器は、必要な磁束密度の高さで加振力を得ることができる。
【００５６】
実施の形態３．
実施の形態３に係る電子機器について、図７を用いて説明する。図７Ａは、ボイスコイルアクチュエータの取り付け構造を示した図である。図７Ｂは、磁気回路部をヨークの後端面側から見た図である。
【００５７】
図７Ａ及び図７Ｂに示した実施の形態３に係る電子機器は、コイル部２０Ａと磁気回路部２０Ｂとの間の位置決めにおいて、押し子２１の外径がヨーク２４の外径よりも大径となるため、実施の形態１に係る電子機器の構成に、位置決め孔２１ｃ，２４ｃを加えたものである。
【００５８】
押し子２１は、位置決め孔２１ｃを有してる。この位置決め孔２１ｃは、コイル側位置決め孔を構成するものであって、押し子２１の外周面２１ａよりも径方向内側に配置されている。また、ヨーク２４は、位置決め孔２４ｃを有している。この位置決め孔２４ｃは、回路側位置決め孔を構成するものであって、ヨーク２４の外周面２４ａよりも径方向外側に配置されている。そして、ガイドピン４１は、位置決め孔２１ｃ，２４ｃに嵌入可能となっている。これにより、押し子２１の外周面２１ａは、ヨーク２４の位置決め孔２４ｃを貫通したガイドピン４１の位置決め孔２１ｃへの嵌入によって位置合わせされ、当該ヨーク２４の外周面２４ａと同軸状に配置された状態で、位置決めされる。
【００５９】
以上より、実施の形態３に係る電子機器のボイスコイルアクチュエータ２０は、コイル部２０Ａの外周面２１ａよりも径方向内側に配置される位置決め孔２１ｃと、磁気回路部２０Ｂの外周面２４ａよりも径方向外側に配置される位置決め孔２４ｃとを備えている。位置決め孔２１ｃ，２４ｃは、ガイドピン４１が嵌入される。これにより、実施の形態３に係る電子機器は、押し子２１の外径がヨーク２４の外径よりも大径となる場合であっても、ガイドピン４１が位置決め孔２１ｃ，２４ｃに嵌入するため、コイル部２０Ａと磁気回路部２０Ｂとの間の位置決めを行うことにより、必要な磁束密度の高さで加振力を得ることができる。
【００６０】
また、実施の形態３に係る電子機器の製造方法は、タッチパネル１４の後方側から挿入されたガイドピン４１を用いて、ボイスコイルアクチュエータ２０におけるコイル部２０Ａと磁気回路部２０Ｂとの間の位置決めを行う。このとき、ガイドピン４１は、磁気回路部２０Ｂの外周面２４ａに沿うように当接し、そのガイドピン４１の先端部とコイル部２０Ａの位置決め孔２１ｃとは、合致する。これにより、実施の形態３に係る電子機器は、必要な磁束密度の高さで加振力を得ることができる。
【００６１】
実施の形態４．
実施の形態４に係る電子機器について、図８を用いて説明する。図８は、実施の形態４に係る電子機器におけるボイスコイルアクチュエータの取り付け構造を示した図である。
【００６２】
図８に示した実施の形態４に係る電子機器は、実施の形態１に係る電子機器の構成に、位置決め中心孔２１ｄ及び位置決め中心孔２８を追加したものである。
【００６３】
磁気回路部２０Ｂは、位置決め中心孔２８を有している。この位置決め中心孔２８は、回路側位置決め中心孔を構成するものであって、ヨーク２４、ポール２５、及び、磁石２６の各中心部を貫通している。このとき、ヨーク２４、ポール２５、及び、磁石２６の各中心部は、磁束が密集していない位置となるため、その中心部を貫通する位置決め中心孔２８は、磁束を乱すことはない。従って、磁気回路部２０Ｂは、位置決め中心孔２８を有していても、磁気隙間２７における磁束密度の低下を抑制することができる。また、コイル部２０Ａは、押し子２１に位置決め中心孔２１ｄを有している。この位置決め中心孔２１ｄは、コイル側位置決め中心孔を構成するものであって、押し子２１の中心部を貫通している。
【００６４】
そして、ガイドピン４１は、１本使用することになり、位置決め中心孔２１ｄ，２８に嵌入可能となっている。このガイドピン４１は、位置決め中心孔２８に嵌入した後、この位置決め中心孔２８を貫通して、位置決め中心孔２１ｄに嵌入する。これにより、コイル部２０Ａの中心部は、磁気回路部２０Ｂの位置決め中心孔２８を貫通したガイドピン４１の位置決め中心孔２１ｄへの嵌入によって位置合わせされ、当該磁気回路部２０Ｂの中心部と同軸状に配置された状態で、位置決めされる。
【００６５】
以上より、実施の形態４に係る電子機器におけるボイスコイルアクチュエータ２０は、タッチパネル１４の後方側から挿入されたガイドピン４１が嵌入する位置決め中心孔２８と、この位置決め中心孔２８の径方向外側において環状に形成される磁気隙間２７とを有する磁気回路部２０Ｂと、磁気隙間２７内に円筒状をなすコイル２３が配置されるように、タッチパネル１４の後面に設けられ、位置決め中心孔２８を貫通したガイドピン４１が嵌入する位置決め中心孔２１ｄを有するコイル部２０Ａとを備えている。これにより、実施の形態４に係る電子機器は、押し子２１の外径とヨーク２４の外径との間の大小関係に係わらず、コイル部２０Ａと磁気回路部２０Ｂとの間の位置決めを行うことにより、必要な磁束密度の高さで加振力を得ることができる。
【００６６】
また、実施の形態４に係る電子機器の製造方法は、タッチパネル１４の後方側から挿入されたガイドピン４１を用いて、ボイスコイルアクチュエータ２０におけるコイル部２０Ａと磁気回路部２０Ｂとの間の位置決めを行う。このとき、ガイドピン４１は、磁気回路部２０Ｂの位置決め中心孔２８に嵌入し、この位置決め中心孔２８を貫通したガイドピン４１の先端部は、コイル部２０Ａの位置決め中心孔２１ｄに嵌入する。これにより、実施の形態４に係る電子機器は、必要な磁束密度の高さで加振力を得ることができる。
【００６７】
但し、上述した実施の形態１〜４に係る電子機器は、コイル部２０Ａの外径と磁気回路部２０Ｂの外径が同じ寸法と構成、コイル部２０Ａの外径が磁気回路部２０Ｂの外径よりも大径となる構成、及び、コイル部２０Ａの外径が磁気回路部２０Ｂの外径よりも小径となる構成の全ての構成に適用可能である。
【００６８】
また、ガイドピン４１，４２は、円形断面を有する軸部材となっているが、その断面形状は、角形及び楕円等の円形以外の形状であっても構わない。これに対して、位置決め孔２１ｃ，２４ｃ及び位置決め中心孔２１ｄ，２８の孔形状は、当該位置決め孔２１ｃ，２４ｃ及び位置決め中心孔２１ｄ，２８にガイドピン４１，４２が嵌入できれば、どのような孔形状であっても構わない。
【００６９】
なお、本願発明は、その発明の範囲内において、各実施の形態の自由な組み合わせ、あるいは、各実施の形態における任意の構成要素の変形、もしくは、各実施の形態における任意の構成要素の省略が可能である。
【産業上の利用可能性】
【００７０】
この発明に係る電子機器及び電子機器の製造方法は、ガイドピンを用いて、アクチュエータにおける磁気回路部とコイル部との間の位置決めを行うことができ、タッチパネルを振動可能に支持する電子機器及び電子機器の製造方法等に用いるのに適している。
【符号の説明】
【００７１】
１１  前部意匠パネル、１１ａ  開口部、１２  後部意匠パネル、１３  本体筐体、１３ａ  通し孔、１３ｂ  ピン挿入孔、１３ｃ  ゲージ挿入孔、１４  タッチパネル、１４ａ  操作面、１５  液晶パネル、１６  ばね、１７，１８  ねじ、２０  ボイスコイルアクチュエータ、２０Ａ  コイル部、２０Ｂ  磁気回路部、２１  押し子、２１ａ  外周面、２１ｂ  外周角部、２１ｃ  位置決め孔、２１ｄ  位置決め中心孔、２２  コイルボビン、２３  コイル、２４  ヨーク、２４ａ  外周面、２４ｂ  ゲージ挿入孔、２４ｃ  位置決め孔、２５  ポール、２６  磁石、２７  磁気隙間、２８  位置決め中心孔、４１，４２  ガイドピン、４２ａ  段差、５１  車両パネル、５２  取付板、５３  車両固定部、６１  隙間ゲージ。
【図１】
2020161891.tif 000003
【図２】
2020161891.tif 000004
【図３】
2020161891.tif 000005
【図４】
2020161891.tif 000006
【図５】
2020161891.tif 000007
【図６】
2020161891.tif 000008
【図７】
2020161891.tif 000009
【図８】
2020161891.tif 000010
【国際調査報告】
2020161891.tif 000011
2020161891.tif 000012